(57)【特許請求の範囲】
【請求項１】
通信ネットワークを介して相互に通信できる第１の携帯電子機器と第２の携帯電子機器とを含む位置情報通知システムであって、
前記第１の携帯電子機器は、
通信を行う通信部と、
前記第２の携帯電子機器との間で実行される前記通信部を用いた通信に関する処理を制御する制御部とを有し、
前記制御部は、
前記通信部により所定の通知を受信した場合に、前記第２の携帯電子機器に対して、該第２の携帯電子機器の位置測位を要求するメッセージを前記通信部により送信し、
前記第２の携帯電子機器から位置の情報を知らせるためのメッセージを受信した場合に、位置測位処理を実行し、測位した位置の情報を知らせるためのメッセージを、前記第２の携帯電子機器に対して前記通信部により送信し、
前記第２の携帯電子機器は、
通信を行う通信部と、
前記第１の携帯電子機器との間で実行される前記通信部を用いた通信に関する処理を制御する制御部とを有し、
前記第２の携帯電子機器が有する制御部は、
前記第２の携帯電子機器が有する通信部により、前記所定の通知又は前記第１の携帯電子機器から送信された前記位置測位を要求するメッセージの少なくとも一方を受信した場合に、位置測位処理を実行し、測位した位置の情報を知らせるためのメッセージを、前記第１の携帯電子機器に対して前記第２の携帯電子機器が有する通信部により送信する位置情報通知システム。
【請求項２】
通信ネットワークを介して相互に通信できる第１の携帯電子機器と第２の携帯電子機器とを含む位置情報通知システムであって、
前記第１の携帯電子機器は、
通信を行う通信部と、
前記第２の携帯電子機器との間で実行される前記通信部を用いた通信に関する処理を制御する制御部とを有し、
前記制御部は、
前記通信部により所定の通知を受信した場合に、位置測位処理を実行し、測位した位置の情報を知らせるためのメッセージを、前記第２の携帯電子機器に対して前記通信部により送信し、
前記第２の携帯電子機器は、
通信を行う通信部と、
前記第１の携帯電子機器との間で実行される前記通信部を用いた通信に関する処理を制御する制御部とを有し、
前記第２の携帯電子機器が有する制御部は、
前記第２の携帯電子機器が有する通信部により、前記所定の通知又は前記第１の携帯電子機器から位置の情報を知らせるメッセージを受信した場合に、位置測位処理を実行し、測位した位置の情報を知らせるためのメッセージを、前記第１の携帯電子機器に対して前記第２の携帯電子機器が有する通信部により送信する位置情報通知システム。
【請求項３】
通信を行う通信部と、
特定の機器との間で実行される前記通信部を用いた通信に関する処理を制御する制御部とを有し、
前記制御部は、
前記通信部により所定の通知を受信した場合に、前記特定の機器に対して、該特定の機器の位置測位を要求するためのメッセージを前記通信部により送信し、
前記特定の機器から位置情報を知らせるメッセージを受信した場合に、位置測位処理を実行し、測位した位置の情報を知らせるためのメッセージを、前記特定の機器に対して前記通信部により送信する携帯電子機器。
【請求項４】
通信を行う通信部を有する携帯電子機器に、
所定に通知を前記通信部により受信するステップと、
前記所定の通知を受信した場合に、特定の機器に対して、該特定の機器の位置測位を要求するためのメッセージを前記通信部により送信するステップと、
前記特定の機器から位置の情報を知らせるメッセージを受信した場合に、位置測位処理を実行し、測位した位置の情報を知らせるためのメッセージを、前記特定の機器に対して前記通信部により送信するステップと
を実行させる通信プログラム。
【発明の詳細な説明】
【技術分野】
【０００１】
本出願は、位置情報通知システム、携帯電子機器および通信プログラムに関する。
【背景技術】
【０００２】
携帯電話機等の携帯電子機器では、契約する通信事業者の基地局から一斉配信された報知型のメッセージを受信することができる（特許文献１など参照）。例えば、携帯電子機器で受信できる報知型のメッセージには、気象庁が配信する緊急地震速報及び津波警報、地方公共団体が発信する災害情報及び避難情報などがある。
【０００３】
上述した報知型のメッセージは、例えば、対象機器に対してブロードキャストメッセージを一斉配信するＢＣＳＭＳ（Ｂｒｏａｄ  Ｃａｓｔ  Ｓｈｏｒｔ  Ｍｅｓｓａｇｅ  Ｓｅｒｖｉｃｅ）と呼ばれるサービス、あるいは対象エリア内の機器に対して所定数以内の文字数で記述されたメールを一斉配信する通信事業者のサービスなどにより携帯電子機器に配信される。
【先行技術文献】
【特許文献】
【０００４】
【特許文献１】特開２００７−１４８８３７号公報
【発明の概要】
【発明が解決しようとする課題】
【０００５】
ところで、携帯電話機等の携帯電子機器の中には、ＧＰＳ（Ｇｌｏｂａｌ  Ｐｏｓｉｔｉｏｎｉｎｇ  Ｓｙｓｔｅｍ）などを用いて計測された位置情報を、特定の機器に対して通知する機能を有するものもある。例えば、災害時などの特殊な状況などを鑑みた場合、特定の機器に対して自己の位置情報を通知する方法には、改善の余地がある。
【０００６】
上記のことから、自己の位置情報を容易に通知することができる位置情報通知システム、携帯電子機器及び通信プログラムに対する必要性がある。
【課題を解決するための手段】
【０００７】
１つの態様に係る位置情報通知システムは、通信ネットワークを介して相互に通信できる第１の携帯電子機器と第２の携帯電子機器とを含む位置情報通知システムであって、前記第１の携帯電子機器は、通信を行う通信部と、前記第２の携帯電子機器との間で実行される前記通信部を用いた通信に関する処理を制御する制御部とを有し、前記制御部は、前記通信部により所定の通知を受信した場合に、前記第２の携帯電子機器に対して、該第２の携帯電子機器の位置測位を要求するメッセージを前記通信部により送信し、前記第２の携帯電子機器から位置の情報を知らせるためのメッセージを受信した場合に、位置測位処理を実行し、測位した位置の情報を知らせるためのメッセージを、前記第２の携帯電子機器に対して前記通信部により送信し、前記第２の携帯電子機器は、通信を行う通信部と、前記第１の携帯電子機器との間で実行される前記通信部を用いた通信に関する処理を制御する制御部とを有し、前記第２の携帯電子機器が有する制御部は、前記第２の携帯電子機器が有する通信部により、前記所定の通知又は前記第１の携帯電子機器から送信された前記位置測位を要求するメッセージの少なくとも一方を受信した場合に、位置測位処理を実行し、測位した位置の情報を知らせるためのメッセージを、前記第１の携帯電子機器に対して前記第２の携帯電子機器が有する通信部により送信する。
【０００８】
１つの態様に係る携帯電子機器は、通信を行う通信部と、特定の機器との間で実行される前記通信部を用いた通信に関する処理を制御する制御部とを有し、前記制御部は、前記通信部により所定の通知を受信した場合に、前記特定の機器に対して、該特定の機器の位置測位を要求するメッセージを前記通信部により送信し、前記特定の機器から位置情報を知らせるためのメッセージを受信した場合に、位置測位処理を実行し、測位した位置の情報を知らせるためのメッセージを、前記特定の機器に対して前記通信部により送信する。
【０００９】
１つの態様に係る通信プログラムは、通信を行う通信部を有する携帯電子機器に、所定に通知を前記通信部により受信するステップと、前記所定の通知を受信した場合に、特定の機器に対して、該特定の機器の位置測位を要求するためのメッセージを前記通信部により送信するステップと、前記特定の機器から位置の情報を知らせるためのメッセージを受信した場合に、位置測位処理を実行し、測位した位置の情報を知らせるためのメッセージを、前記特定の機器に対して前記通信部により送信するステップとを実行させる。
【図面の簡単な説明】
【００１２】
【図１】図１は、実施形態に係るシステムの概念構成を示す図である。
【図２】図２は、実施形態に係る携帯電話機１の外観上の概略構成を示す正面図である。
【図３】図３は、図２に示す携帯電話機１の外観上の概略構成を示す側面図である。
【図４】図４は、実施形態に係る携帯電話機３の外観上の概略構成を示す正面図である。
【図５】図５は、図２、図３に示す携帯電話機１の機能構成、及び図４に示す携帯電話機３の機能構成の一例を示すブロック図である。
【図６】図６は、携帯電話機１と携帯電話機３との間で実行される処理の一例を示す図である。
【図７】図７は、図６に対応する処理手順の例を示す図である。
【図８】図８は、携帯電話機１の機能構成及び携帯電話機３の機能構成の他の例を示す図である。
【図９】図９は、携帯電話機１と携帯電話機３との間で実行される処理の他の例を示す図である。
【図１０】図１０は、図９に対応する処理手順の例を示す図である。
【図１１】図１１は、携帯電話機１と携帯電話機３との間で実行される処理の他の例を示す図である。
【図１２】図１２は、図１１に対応する処理手順の例を示す図である。
【図１３】図１３は、携帯電話機１及び携帯電話機３が相互にメッセージを送信しあう場合の処理手順の例を示す図である。
【図１４】図１４は、携帯電話機１及び携帯電話機３が相互にメッセージを送信しあう場合の処理手順の他の例を示す図である。
【発明を実施するための形態】
【００１３】
本出願に係る位置情報通知システム、携帯電子機器および通信プログラムを実施するための実施形態を、図面を参照しつつ詳細に説明する。以下の説明により、本出願に係る位置情報通知システム、携帯電子機器および通信プログラムが限定されるものではない。以下の説明における構成要素には、当業者が容易に想定できるもの、実質的に同一のもの、いわゆる均等の範囲のものが含まれる。以下においては、携帯電子機器の一例として携帯電話機を取り上げるが、本発明の適用対象は携帯電話機に限定されるものではなく、通信が可能な他の装置に対しても適用できる。例えば、タッチスクリーンを有する多機能携帯電話（スマートフォン）、ＰＨＳ（Ｐｅｒｓｏｎａｌ  Ｈａｎｄｙ−Ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン、ゲーム機等に対しても適用できる。
【００１４】
（実施形態）
図１は、実施形態に係るシステムの概念構成を示す図である。図１に示すように、実施形態に係るシステムは、通信ネットワーク１０を介して相互に通信できる携帯電話機１と携帯電話機３とを含む。通信ネットワーク１０は、例えば、インターネット、公衆電話網（回線交換網）などである。
【００１５】
図２は、実施形態に係る携帯電話機１の外観上の概略構成を示す正面図である。図３は、図２に示す携帯電話機１の外観上の概略構成を示す側面図である。図２及び図３に示すように、携帯電話機１は、折り畳み式の筐体を有する。具体的には、携帯電話機１の筐体１Ｃは、図２に示すように、第１筐体１ＣＡと第２筐体１ＣＢとで開閉可能に構成される。携帯電話機１の筐体は、このような構造に限定されるものではない。例えば、携帯電話機１の筐体は、携帯電話機１を構成する２つの筐体を重ね合わせた状態から一方の筐体と他方の筐体とを互いにスライドできるようにしたスライド式の筐体であってもよい。あるいは、携帯電話機１の筐体は、携帯電話機１を構成する２つの筐体の重ね合わせ方向に沿う軸線を中心として一方の筐体を回転させるようにしたもの、２軸ヒンジを介して両方の筐体を連結したものでもよい。あるいは、携帯電話機１は、図２及び図３に示すように、複数の筐体を連結したものには限定されず、スマートフォンのように、筐体が単一の構造であってもよい。
【００１６】
図２に示すように、第１筐体１ＣＡと第２筐体１ＣＢとは、連結部であるヒンジ機構８で連結されている。ヒンジ機構８で第１筐体１ＣＡと第２筐体１ＣＢとを連結することにより、第１筐体１ＣＡ及び第２筐体１ＣＢは、ヒンジ機構８を中心としてともに回動して、図３の矢印Ｒで示す方向に回動できるように構成される。すなわち、第１筐体１ＣＡ及び第２筐体１ＣＢは、互いに遠ざかる方向、又は互いに接近する方向に回動できる。図３の点線に示すように、携帯電話機１が折り畳まれた状態にある場合に、第１筐体１ＣＡと第２筐体１ＣＢとが互いに遠ざかる方向に回動すると、図３の実線に示すように、携帯電話機１が開いた状態になる。図３の実線に示すように、携帯電話機１が開いた状態にある場合に、第１筐体１ＣＡと第２筐体１ＣＢとが互いに接近する方向に回動すると、図３の点線で示すように、携帯電話機１が折り畳まれた状態となる。
【００１７】
第１筐体１ＣＡには、表示部として、図２に示すディスプレイ２が設けられる。ディスプレイ２は、携帯電話機１が受信を待機している状態のときに待ち受け画像を表示したり、携帯電話機１の操作を補助するために用いられるメニュー画像を表示したりする。第１筐体１ＣＡには、携帯電話機１の通話時に音声を出力する出力手段であるレシーバ１３が設けられる。第１筐体１ＣＡには、画像を撮影するためのカメラ１７が設けられる。
【００１８】
第２筐体１ＣＢには、操作キー１４Ａと、方向及び決定キー１４Ｂとが設けられる。操作キー１４Ａは、通話相手の電話番号、又はメール作成時等の文字の入力に用いられる。方向及び決定キー１４Ｂには、ディスプレイ２に表示されるメニューの選択及び決定、あるいは画面のスクロール等を容易に実行するために用いられる。操作キー１４Ａと方向及び決定キー１４Ｂとは、携帯電話機１の操作部１４を構成する。また、第２筐体１ＣＢには、通話時の音声、音声検索の利用時にユーザが発する音声、ノイズキャンセル処理時に利用する音など、種々の音を取得するマイク１１が設けられる。操作部１４は、図３に示す、第２筐体１ＣＢの操作面１ＰＣに設けられる。操作面１ＰＣとは反対側の面が、携帯電話機１の背面１ＰＢである。なお、操作部１４は、上述のキー構成に代えて、表示部上に配置されたタッチセンサであってもよい。
【００１９】
図４は、実施形態に係る携帯電話機３の外観上の概略構成を示す正面図である。図４に示すように、携帯電話機３には、電波を送受信するアンテナ３１と、各種画像を表示するディスプレイ３２と、操作入力に用いられる操作部３３と、音声を出力するレシーバ３６が設けられている。
【００２０】
図５は、図２及び図３に示す携帯電話機１の機能構成、及び図４に示す携帯電話機３の機能構成の一例を示す図である。
【００２１】
図５に示すように、携帯電話機１は、マイク１１と、スピーカ１２と、レシーバ１３と、操作部１４と、加速度センサ１５と、表示部１６と、カメラ１７と、通信部１８と、音声処理部２０と、記憶部４０と、制御部１００とを有する。
【００２２】
マイク１１は、例えば、通話時の音声などの音声信号を入力する。スピーカ１２は、例えば、携帯電話機１の筐体１Ｃ内に配置されており、着信音やメールの送信音等を出力する。レシーバ１３は、例えば、通話時の音声などを出力する。
【００２３】
操作部１４は、上述したように、操作キー１４Ａと、方向及び決定キー１４Ｂとを有し、図３に示す第２筐体１ＣＢの操作面１ＰＣに設けられる。操作キー１４Ａには、例えば、電源キー、通話キー、数字キー、文字キー、方向キー、決定キー、発信キー等の機能が割り当てられ、方向及び決定キー１３Ｂには、例えば、方向キー、決定キーの機能が割り当てられる。そして、これらのキーがユーザの操作により入力されると、操作部１４は、その操作内容に対応する信号を発生させる。発生した信号は、ユーザの指示として制御部１００へ入力される。
【００２４】
加速度センサ１５は、携帯電話機１に印加される加速度の方向及び大きさを検出する。加速度センサ１５の検出結果は、例えば、携帯電話機１の方位が分かれば、携帯電話機１の姿勢の変化、あるいは携帯電話機１の移動の有無を判定する場合などに用いることもできる。
【００２５】
表示部１６は、上述したように、ディスプレイ２を有し、制御部１００から供給される映像データに応じた映像や画像データに応じた画像を表示パネルに表示させる。ディスプレイ２は、例えば、液晶ディスプレイ（ＬＣＤ、Ｌｉｑｕｉｄ  Ｃｒｙｓｔａｌ  Ｄｉｓｐｌａｙ）、又は有機ＥＬ（Ｏｒｇａｎｉｃ  Ｅｌｅｃｒｏ−Ｌｕｍｉｎｅｓｃｅｎｃｅ）パネルなどで構成された表示パネルで構成される。表示部１６は、ディスプレイ２に加え、サブディスプレイを有していてもよい。カメラ１７は、撮影した画像を取得する。
【００２６】
通信部１８は、アンテナ１８ａを有し、基地局によって割り当てられるチャネルを介し、基地局との間でＣＤＭＡ（Ｃｏｄｅ  Ｄｉｖｉｓｉｏｎ  Ｍｕｌｔｉｐｌｅ  Ａｃｃｅｓｓ）方式などによる無線信号回線を確立し、基地局を介して、例えば、後述する携帯電話機３との間で電話通信及び情報通信を行う。さらに、通信部１８は、ＧＰＳ衛星からの所定の周波数帯の電波信号を受信し、受信した電波信号の復調処理を行って、処理後の信号を制御部１００に送出する。通信部１８とは別に、ＧＰＳ衛星との通信のみを行う通信部を設けてもよい。
【００２７】
音声処理部２０は、マイク１１に入力される音声信号、スピーカ１２及びレシーバ１３から出力される音声信号の処理を実行する。すなわち、音声処理部２０は、マイク１１から入力される音声を増幅し、アナログデジタル変換を実行した後、さらに符号化等の信号処理を施し、デジタルの音声データに変換してから制御部１００へ出力する。また、制御部１００から送られる音声データの復号化、デジタルアナログ変換、増幅等の処理を施し、アナログの音声信号に変換してからスピーカ１２及びレシーバ１３へ出力する。
【００２８】
記憶部４０は、オペレーティングシステムプログラム及びアプリケーションプログラム等、制御部１００での処理に利用される各種プログラム及び各種データを記憶する。例えば、記憶部４０には、表示部１６の動作を制御するアプリケーションプログラムを作動させるタスク、通信部１８の動作を制御するアプリケーションプログラムを作動させるタスク及び音声処理部２０の動作を制御するアプリケーションプログラムを作動させるタスクなどが記憶される。これらのタスク以外にも、記憶部４０には、例えば、ダウンロードされた音声データ、記憶部４０に対する制御に制御部１００が用いるプログラム、少なくとも携帯電話機３に割り当てられた電話番号及びメールアドレス等が記述されたアドレス帳、発信音及び着信音等の音声ファイル、プログラムに基づく処理過程で用いられる一時的なデータ等が記憶される。
【００２９】
本実施形態において、記憶部４０には、少なくとも、他の携帯電話機との間で実行される通信に関する処理を制御するためのプログラムが記憶される。あるいは、記憶部４０には、気象庁が配信する緊急地震速報及び津波警報、地方公共団体が発信する災害情報及び避難情報などの報知型の所定のメッセージを受信した場合に、携帯電話機３の位置の測位を要求するためのメッセージを自動生成し、携帯電話機３に対して送信する処理を実行するためのプログラムが記憶される。あるいは、記憶部４０には、携帯電話機３から位置の情報を知らせるためのメッセージを受信した場合に、ＧＰＳを利用した位置測位処理を実行し、測位した位置の情報を知らせるためのメッセージを自動生成し、携帯電話機３に対して送信する処理を実行するためのプログラムが記憶される。
【００３０】
制御部１００は、記憶部４０に記憶されている各種プログラムに基づいて処理を実行する。制御部１００は、例えば、マイクロプロセッサユニット（ＭＰＵ：Ｍｉｃｒｏ  Ｐｒｏｃｅｓｓｉｎｇ  Ｕｎｉｔ）で構成され、記憶部４０に記憶されるプログラムから命令コードを順次読み込んで、読み込んだ命令コードで指示された手順に従って携帯電話機１の各種の処理を実行する。すなわち、制御部１００は、携帯電話機１の各種の処理が、操作部１４の操作、及び携帯電話機１の記憶部４０に記憶されるプログラムに応じて適切な手順で実行されるように、表示部１６、通信部１８及び音声処理部２０等の動作を制御する。
【００３１】
制御部１００は、図５に示すように、位置測位要求部１１０及び位置情報通知部１２０を有する。
【００３２】
位置測位要求部１１０は、気象庁が配信する緊急地震速報及び津波警報、地方公共団体が発信する災害情報及び避難情報などの報知型の所定のメッセージを受信した場合に、位置の測位を要求するためのメッセージを自動生成し、携帯電話機３に対して送信する。
【００３３】
具体的に説明すると、位置測位要求部１１０は、通信部１８を介してメッセージを受信すると、受信したメッセージが緊急地震速報、津波警報、災害情報又は避難情報などの報知型の所定のメッセージであるか否かを判定する。例えば、位置測位要求部１１０は、ＢＣＳＭＳなどを利用した一斉配信型のブロードキャストメッセージであれば、受信したメッセージの拡張システムパラメータのブロードキャスト用の領域がページングチャネルに設定されているか否かを判定する。続いて、位置測位要求部１１０は、受信したメッセージのブロードキャスト用の領域がページングチャネルに設定されている場合には、その領域内に記述された信号を確認することにより、緊急地震速報などの報知型の所定のメッセージであるかを判定する。あるいは、位置測位要求部１１０は、通信事業者により一斉配信されるエリアメールであれば、エリアメールのヘッダ内に設けられたシステム領域のパラメータを確認することにより、緊急地震速報などの報知型の所定のメッセージであるかを判定する。
【００３４】
判定の結果、緊急地震速報などの報知型の所定のメッセージであった場合には、位置測位要求部１１０は、記憶部４０から携帯電話機３のメールアドレスなどを読み込み、携帯電話機３に対して、位置の測位を要求するためのメッセージを自動生成し、通信部１８により送信する。このとき、位置測位要求部１１０は、自動生成するメッセージのヘッダ内に、位置の測位を要求するメッセージであることを示すパラメータを挿入した上でメッセージを送信する。
【００３５】
位置情報通知部１２０は、携帯電話機３から、位置の情報を通知するためのメッセージを受信すると、位置測位処理を実行し、測位した位置の情報を通知するためのメッセージを携帯電話機３に送信する。
【００３６】
具体的に説明すると、位置情報通知部１２０は、通信部１８を介して、携帯電話機３から受信したメッセージが、位置の情報を通知するためのメッセージであるか否かを判定する。例えば、携帯電話機３から受信したメッセージのヘッダ内に、位置の情報を通知するメッセージであることを示すパラメータが埋め込まれているか否かを判定する。携帯電話機３から受信したメッセージが、位置の情報を通知するメッセージである場合には、位置情報通知部１２０は、ＧＰＳ衛星からの電波信号に基づいて位置測位処理を実行し、自装置の位置を測位する。そして、位置情報通知部１２０は、記憶部４０から携帯電話機３のメールアドレスなどを読み込み、測位した位置を通知するためのメッセージを自動生成し、携帯電話機３に対して通信部１８により送信する。このとき、位置情報通知部１２０は、自動生成するメッセージのヘッダ内に、位置の情報を通知するメッセージであることを示すパラメータを挿入した上でメッセージを送信する。
【００３７】
図５に示すように、携帯電話機３は、操作部３３と、マイク３４と、スピーカ３５と、レシーバ３６と、表示部３７と、通信部３８と、音声処理部５０と、記憶部７０と、制御部２００とを有する。
【００３８】
操作部３３は、例えば、数字キー、方向キー、決定キー、発信キー等の機能が割り当てられた複数のキーを有する。そして、これらのキーがユーザの操作により入力されると、操作部３３は、その操作内容に対応する信号を発生させる。発生した信号は、ユーザの指示として制御部２００へ入力される。
【００３９】
マイク３４は、例えば、通話時の音声などの音声信号を入力する。スピーカ３５は、例えば、携帯電話機１の筐体１Ｃ内に配置されており、着信音やメールの送信音等を出力する。レシーバ３６は、例えば、通話時の音声などを出力する。
【００４０】
表示部３７は、ディスプレイ３２を有し、制御部２００から供給される映像データに応じた映像や画像データに応じた画像を表示パネルに表示させる。
【００４１】
通信部３８は、アンテナ３８ａを有し、基地局によって割り当てられるチャネルを介し、基地局との間でＣＤＭＡ（Ｃｏｄｅ  Ｄｉｖｉｓｉｏｎ  Ｍｕｌｔｉｐｌｅ  Ａｃｃｅｓｓ）方式などによる無線信号回線を確立し、基地局を介して、例えば、上述した携帯電話機１との間で電話通信及び情報通信を行う。さらに、通信部３８は、ＧＰＳ衛星からの所定の周波数帯の電波信号を受信し、受信した電波信号の復調処理を行って、処理後の信号を制御部１００に送出する。通信部３８とは別に、ＧＰＳ衛星との通信のみを行う通信部を設けてもよい。
【００４２】
音声処理部５０は、マイク３４に入力される音声信号、スピーカ３５及びレシーバ３６から出力される音声信号の処理を実行する。
【００４３】
記憶部７０は、オペレーティングシステムプログラム及びアプリケーションプログラム等、制御部２００での処理に利用される各種プログラム及び各種データを記憶する。例えば、記憶部７０には、表示部３７の動作を制御するアプリケーションプログラムを作動させるタスク、通信部３８の動作を制御するアプリケーションプログラムを作動させるタスク及び音声処理部５０の動作を制御するアプリケーションプログラムを作動させるタスクなどが記憶されている。これらのタスク以外にも、記憶部７０には、例えば、通信、ダウンロードされた音声データ、記憶部７０に対する制御に制御部２００が用いるプログラム、少なくとも携帯電話機１に割り当てられた電話番号及びメールアドレス等が記述されたアドレス帳、発信音及び着信音等の音声ファイル、プログラムに基づく処理過程で用いられる一時的なデータ等が記憶される。
【００４４】
本実施形態において、記憶部７０には、少なくとも、他の携帯電話機との間で実行される通信に関する処理を制御するためのプログラム、気象庁が配信する緊急地震速報及び津波警報、地方公共団体が発信する災害情報及び避難情報などの報知型の所定のメッセージ、又は携帯電話機１から送信された位置の測位を要求するメッセージの少なくとも一方を受信した場合に、ＧＰＳを利用した位置測位処理を実行し、測位した位置の情報を知らせるためのメッセージを自動生成し、携帯電話機１に対して送信する処理を実行するためのプログラムが記憶される。
【００４５】
制御部２００は、記憶部７０に記憶されている各種プログラムに基づいて処理を実行する。制御部２００は、例えば、マイクロプロセッサユニットで構成され、記憶部７０に記憶されるプログラムから命令コードを順次読み込んで、読み込んだ命令コードで指示された手順に従って携帯電話機３の各種の処理を実行する。
【００４６】
制御部２００は、図５に示すように、位置情報通知部２１０を有する。位置情報通知部２１０は、気象庁が配信する緊急地震速報及び津波警報、地方公共団体が発信する災害情報及び避難情報などの報知型の所定のメッセージ、及び携帯電話機１から送信された位置の測位を要求するメッセージの少なくとも一方を受信した場合に、ＧＰＳを利用した位置測位処理を実行し、測位した位置の情報を知らせるためのメッセージを、携帯電話機１に対して送信する。
【００４７】
具体的には、位置情報通知部２１０は、通信部３８を介してメッセージを受信すると、受信したメッセージが、気象庁が配信する緊急地震速報及び津波警報、地方公共団体が発信する災害情報及び避難情報などの報知型の所定のメッセージ、あるいは携帯電話機１から送信された位置の測位を要求するメッセージであるか否かを判定する。例えば、位置測位要求部１１０は、ＢＣＳＭＳなどを利用した一斉配信型のブロードキャストメッセージであれば、受信したメッセージの拡張システムパラメータのブロードキャスト用の領域がページングチャネルに設定されているか否かを判定する。続いて、位置測位要求部１１０は、受信したメッセージのブロードキャスト用の領域がページングチャネルに設定されている場合には、その領域内に記述された信号を確認することにより、緊急地震速報などの報知型の所定のメッセージであるかを判定する。あるいは、位置測位要求部１１０は、通信事業者により一斉配信されるエリアメールであれば、エリアメールのヘッダ内に設けられたシステム領域のパラメータを確認することにより、緊急地震速報などの報知型の所定のメッセージであるかを判定する。例えば、位置情報通知部２１０は、携帯電話機１から受信したメッセージのヘッダ内に、位置の測位を要求するメッセージであることを示すパラメータが埋め込まれているか否かを判定する。受信したメッセージが、緊急地震速報及び津波警報、地方公共団体が発信する災害情報及び避難情報などの報知型の所定のメッセージ、あるいは携帯電話機１から送信された位置の測位を要求するメッセージである場合には、位置情報通知部２１０は、ＧＰＳ衛星からの電波信号に基づいて位置測位処理を実行し、自装置の位置を測位する。そして、位置情報通知部２１０は、記憶部７０から携帯電話機１のメールアドレスなどを読み込み、測位した位置を通知するためのメッセージを自動生成し、携帯電話機１に対して通信部３８により送信する。このとき、位置情報通知部２１０は、自動生成するメッセージのヘッダ内に、位置の情報を通知するメッセージであることを示すパラメータを挿入した上でメッセージを送信する。
【００４８】
例えば、位置情報通知部２１０は、緊急地震速報などのメッセージを受信した後に、携帯電話機１から送信された位置の測位を要求するメッセージを受信した場合には、緊急地震速報の受信をトリガーとして実行した位置測位処理により測位した位置を携帯電話機１に送信する。あるいは、位置情報通知部２１０は、緊急地震速報などのメッセージを受信した後、所定の時間内に、携帯電話機１から送信された位置の測位を要求するメッセージを受信した場合には、位置の測位を要求するメッセージの受信をトリガーとして、改めて位置測位処理を実行し、測位した位置を携帯電話機１に送信するようにしてもよい。あるいは、位置情報通知部２１０は、緊急地震速報などのメッセージを受信した後、所定の時間内に、携帯電話機１から送信された位置の測位を要求するメッセージを受信した場合であっても、緊急地震速報の受信をトリガーとして実行した位置測位処理により測位した位置を携帯電話機１に送信するようにしてもよい。位置情報通知部２１０は、先に受信されるメッセージが、緊急地震速報などのメッセージ又は携帯電話機１から送信された位置の測位を要求するメッセージのどちらであっても、メッセージの受信をトリガーとして１度だけ位置測位処理を実行する。あるいは、位置情報通知部２１０は、緊急地震速報などのメッセージの受信をトリガーとして位置測位処理を実行し、携帯電話機１から送信された位置の測位を要求するメッセージの受信をトリガーとして位置測位処理を実行して、それぞれの処理で実行した双方の位置の情報を携帯電話機１に送信してもよい。
【００４９】
携帯電話機１及び携帯電話機３が送信するメッセージとしては、例えば、通信事業者が提供する、いわゆるキャリアメールを利用してもよいし、携帯電話機１のユーザが加入する通信事業者と携帯電話機３のユーザが加入する通信事業者が同一であれば、ショートメールを利用してもよい。スマートフォンであれば、キャリアメールのほかに、ＳＭＳ、ＭＭＳ、Ｗｅｂメールなどを利用してもよい。
【００５０】
図６は、携帯電話機１と携帯電話機３との間で実行される処理の一例を示す図である。図６は、緊急地震速報の受信をトリガーとして携帯電話機１から送信された位置の測位を要求するメッセージを、緊急地震速報よりも前に携帯電話機３が受信した場合の処理の一例を示す。
【００５１】
図６に示すように、携帯電話機１は、緊急地震速報を受信すると、携帯電話機３に対して、位置の測位を要求するメッセージを送信する（ステップＳ１１）。携帯電話機３は、緊急自身速報、又は携帯電話機１から位置の測位を要求するメッセージの少なくとも一方を受信すると、自装置の位置測位処理を実行する（ステップＳ１２）。続いて、携帯電話機３は、測位した位置の情報を通知するためのメッセージを自動生成し、携帯電話機１に対して送信する（ステップＳ１３）。携帯電話機１は、携帯電話機３から、位置の情報を通知するメッセージを受信すると、自装置の位置測位処理を実行する（ステップＳ１４）。続いて、携帯電話機１は、測位した位置を通知するためのメッセージを自動生成し、携帯電話機３に対して送信する（ステップＳ１５）。
【００５２】
図７を参照しながら、携帯電話機１と携帯電話機３との間で実行される処理手順の例について説明する。図７は、図６に対応する処理手順の例を示す図である。図７に示す処理手順は、制御部１００が記憶部４０に記憶されているプログラムを実行し、制御部２００が記憶部７０に記憶されているプログラムを実行することによって実現される。図７に示す処理手順は、携帯電話機１及び携帯電話機３が共に起動中である場合に繰り返し実行される。
【００５３】
図７に示すように、位置測位要求部１１０は、ステップＳ１０１として、通信部１８を介して緊急地震速報を受信すると、ステップＳ１０２として、位置の測位を要求するためのメッセージを自動生成して携帯電話機３に送信する。
【００５４】
位置情報通知部２１０は、ステップＳ１０３として、携帯電話機１から、位置の測位を要求するメッセージを受信すると、ステップＳ１０４として、位置測位処理を実行する。続いて、位置情報通知部２１０は、ステップＳ１０５として、測位した位置の情報を通知するためのメッセージを自動生成して携帯電話機１に送信する。
【００５５】
位置情報通知部１２０は、ステップＳ１０６として、携帯電話機３から、位置の情報を通知するメッセージを受信すると、ステップＳ１０７として、自装置の位置測位処理を実行する。続いて、位置情報通知部１２０は、ステップＳ１０８として、測位した位置の情報を通知するためのメッセージを自動生成して携帯電話機３に送信する。
【００５６】
制御部２００が、ステップＳ１０９として、携帯電話機１から、位置の情報を通知するメッセージを受信すると、図７に示す処理手順は終了する。
【００５７】
上述してきた実施形態に係るシステムにおいて、携帯電話機１は、緊急地震速報を受信すると、携帯電話機３に対して、位置の測位を要求するメッセージを送信する。携帯電話機３は、緊急地震速報又は携帯電話機１から送信された位置の測位を要求するためのメッセージの少なくとも一方を受信すると、位置測位処理を実行し、測位した位置の情報を通知するためのメッセージを携帯電話機１に送信する。携帯電話機３から位置の情報を通知するためのメッセージを受信した携帯電話機１は、位置測位処理を実行し、測位した位置の情報を通知するためのメッセージを携帯電話機１に送信する。すなわち、上述の実施形態によれば、例えば、図６又は図７に示すように、緊急地震速報などの所定のメッセージの受信を契機として、携帯電話機１の側から携帯電話機３に対して、携帯電話機３の現在位置を通知するように積極的に働きかける。このため、例えば、携帯電話機３において緊急地震速報が受信されなかった場合でも、携帯電話機１は、携帯電話機３に現在位置を送信させることができる。このようにして、携帯電話機１及び携帯電話機３は、自己の位置情報を簡易に通知できる。
【００５８】
上述した実施形態において、携帯電話機１は、緊急地震速報を受信すると、携帯電話機３に対して位置の測位を要求するためのメッセージを送信し、携帯電話機３は、緊急地震速報、又は携帯電話機１から送信された位置の測位を要求するメッセージの少なくとも一方を受信すると、位置測位処理を実行する例を説明したが、これには限定されない。
【００５９】
図８は、携帯電話機１の機能構成及び携帯電話機３の機能構成の他の例を示す図である。図８に示す機能構成の例は、制御部１００が、位置情報通知部１２０のみを有する点、及び以下に説明する点が、図５に示す機能構成とは異なる。
【００６０】
携帯電話機１の記憶部４０には、気象庁が配信する緊急地震速報及び津波警報、地方公共団体が発信する災害情報及び避難情報などの報知型の所定のメッセージを受信した場合に、ＧＰＳを利用した位置測位処理を実行し、測位した位置の情報を知らせるためのメッセージを自動生成し、携帯電話機３に対して送信する処理を実行するためのプログラムが記憶される。
【００６１】
携帯電話機１の位置情報通知部１２０は、気象庁が配信する緊急地震速報及び津波警報、地方公共団体が発信する災害情報及び避難情報などの報知型の所定のメッセージを受信した場合に、ＧＰＳを利用した位置測位処理を実行し、測位した位置の情報を知らせるためのメッセージを自動生成し、携帯電話機３に対して送信する。
【００６２】
携帯電話機３の記憶部７０には、気象庁が配信する緊急地震速報及び津波警報、地方公共団体が発信する災害情報及び避難情報などの報知型の所定のメッセージ、又は携帯電話機１から送信された位置の情報を通知するメッセージの少なくとも一方を受信した場合に、ＧＰＳ衛星からの電波信号に基づいて位置測位処理を実行し、測位した位置の情報を知らせるためのメッセージを自動生成し、携帯電話機１に対して送信する処理を実行するためのプログラムが記憶される。
【００６３】
携帯電話機３の位置情報通知部１２０は、気象庁が配信する緊急地震速報及び津波警報、地方公共団体が発信する災害情報及び避難情報などの報知型の所定のメッセージ、又は携帯電話機１から送信された位置の情報を通知するメッセージの少なくとも一方を受信した場合に、ＧＰＳ衛星からの電波信号に基づいて位置測位処理を実行し、測位した位置の情報を知らせるためのメッセージを、携帯電話機１に対して送信する。位置情報通知部２１０は、先に受信されるメッセージが、緊急地震速報などのメッセージ又は携帯電話機１から送信された位置の測位を要求するメッセージのどちらであっても、メッセージの受信をトリガーとして位置測位処理を実行する。
【００６４】
図９は、携帯電話機１と携帯電話機３との間で実行される処理の他の例を示す図である。図９は、緊急地震速報の受信をトリガーとして携帯電話機１から送信された位置の情報を通知するメッセージを、緊急地震速報よりも前に携帯電話機３が受信した場合の処理の一例を示す。
【００６５】
図９に示すように、携帯電話機１は、緊急地震速報を受信すると、自装置の位置測位処理を実行する（ステップＳ２１）。続いて、携帯電話機１は、測位した位置の情報を通知するためのメッセージを自動生成し、携帯電話機３に対して送信する（ステップＳ２２）。携帯電話機３は、緊急地震速報、又は携帯電話機１から送信された位置の情報を通知するメッセージの少なくとも一方を受信すると、自装置の位置測位処理を実行する（ステップＳ２３）。続いて、携帯電話機３は、測位した位置の情報を通知するためのメッセージを自動生成し、携帯電話機１に対して送信する（ステップＳ２４）。
【００６６】
図１０は、図９に対応する処理手順の例を示す図である。図１０に示す処理手順は、制御部１００が記憶部４０に記憶されているプログラムを実行し、制御部２００が記憶部７０に記憶されているプログラムを実行することによって実現される。図１０に示す処理手順は、携帯電話機１及び携帯電話機３が共に起動中である場合に繰り返し実行される。
【００６７】
図１０に示すように、位置情報通知部１２０は、ステップＳ２０１として、通信部１８を介して緊急地震速報を受信すると、ステップＳ２０２として、自装置の位置測位処理を実行する。続いて、位置情報通知部１２０は、ステップＳ２０３として、測位した位置の情報を通知するためのメッセージを自動生成して携帯電話機３に送信する。
【００６８】
位置情報通知部２１０は、ステップＳ２０４として、携帯電話機１から、位置の情報を通知するメッセージを受信すると、ステップＳ２０５として、位置測位処理を実行する。続いて、位置情報通知部２１０は、ステップＳ２０６として、測位した位置の情報を通知するためのメッセージを自動生成して携帯電話機１に送信する。
【００６９】
制御部１００が、ステップＳ２０７として、携帯電話機３から、位置の情報を通知するメッセージを受信すると、図１０に示す処理手順は終了する。
【００７０】
上述してきたように、図８〜図１０によれば、携帯電話機１にて実行する処理手順を、図６又は図７に示す場合よりも少ない手順で、携帯電話機１と携帯電話機３との間で、互いの位置情報を共有できる。
【００７１】
図６、図７、図９、図１０に示す場合では、緊急地震速報の受信をトリガーとして、携帯電話機１から携帯電話機３に対して、位置の測位を要求するためのメッセージ又は位置の情報を通知するためのメッセージが送信されるときの処理の例を説明した。図１１及び図１２では、緊急地震速報の受信をトリガーとして、携帯電話機３から携帯電話機１に対して、位置の情報を通知するためのメッセージが送信されるときの処理の例を説明する。
【００７２】
図１１は、携帯電話機１と携帯電話機３との間で実行される処理の他の例を示す図である。図１１は、緊急地震速報の受信をトリガーとして携帯電話機３から送信された位置の情報を通知するメッセージを、緊急地震速報よりも前に携帯電話機１が受信した場合の処理の一例を示す。
【００７３】
図１１に示すように、携帯電話機３は、緊急地震速報を受信すると、自装置の位置測位処理を実行する（ステップＳ３１）。続いて、携帯電話機３は、測位した位置の情報を通知するためのメッセージを自動生成し、携帯電話機１に対して送信する（ステップＳ３２）。携帯電話機３は、携帯電話機１から送信された位置の情報を通知するメッセージを受信すると、自装置の位置測位処理を実行する（ステップＳ３３）。続いて、携帯電話機１は、測位した位置の情報を通知するためのメッセージを自動生成し、携帯電話機３に対して送信する（ステップＳ３４）。
【００７４】
図１２は、図１１に対応する処理手順の例を示す図である。図１２に示す処理手順は、制御部１００が記憶部４０に記憶されているプログラムを実行し、制御部２００が記憶部７０に記憶されているプログラムを実行することによって実現される。
【００７５】
図１２に示すように、位置情報通知部２１０は、ステップＳ３０１として、通信部３８を介して緊急地震速報を受信すると、ステップＳ３０２として、自装置の位置測位処理を実行する。続いて、位置情報通知部２１０は、ステップＳ３０３として、測位した位置の情報を通知するためのメッセージを自動生成して携帯電話機１に送信する。
【００７６】
位置情報通知部１２０は、ステップＳ３０４として、携帯電話機１から、位置の情報を通知するメッセージを受信すると、ステップＳ３０５として、位置測位処理を実行する。続いて、位置情報通知部１２０は、ステップＳ３０６として、測位した位置の情報を通知するためのメッセージを自動生成して携帯電話機１に送信する。
【００７７】
制御部２００が、ステップＳ３０７として、携帯電話機１から、位置の情報を通知するメッセージを受信すると、図１２に示す処理手順は終了する。
【００７８】
図１１及び図１２に示す場合では、緊急地震速報などの所定のメッセージの受信を契機として、携帯電話機３の側から携帯電話機１に対して、能動的に現在位置が通知され、これに反応するように、携帯電話機１から携帯電話機３に対して、現在位置が通知される。このため、例えば、携帯電話機１において緊急地震速報が受信されなかった場合でも、携帯電話機３は、携帯電話機１に現在位置の情報を送信させることができる。このようにして、携帯電話機１及び携帯電話機３は、自己の位置情報を簡易に通知できる。
【００７９】
以下、図１３を用いて、携帯電話機１及び携帯電話機３が共に緊急地震速報の受信をトリガーとして、相互に位置の情報を通知するメッセージを送信しあう場合の処理手順の例を説明する。図１３は、携帯電話機１及び携帯電話機３が相互にメッセージを送信しあう場合の処理手順の例を示す図である。図１３に示す処理手順は、制御部１００が記憶部４０に記憶されているプログラムを実行し、制御部２００が記憶部７０に記憶されているプログラムを実行することによって実現される。
【００８０】
図１３に示すように、位置情報通知部１２０は、ステップＳ４０１として、通信部１８を介して緊急地震速報を受信すると、ステップＳ４０２として、自装置の位置測位処理を実行する。続いて、位置情報通知部１２０は、ステップＳ４０３として、測位した位置の情報を通知するためのメッセージを自動生成して携帯電話機３に送信する。位置情報通知部１２０は、ステップＳ４０４として、携帯電話機３から、位置の情報を通知するメッセージを受信した場合には、ステップＳ４０５として、測位した自装置の位置の情報を通知するためのメッセージを、携帯電話機３に対して送信済みであるか否かを判定する。判定の結果、位置の情報を通知するためのメッセージを、携帯電話機３に対して送信済みである場合には（ステップＳ４０５，Ｙｅｓ）、位置情報通知部１２０は、処理手順を終了する。これとは反対に、判定の結果、位置の情報を通知するためのメッセージを、携帯電話機３に対して送信済みではない場合には（ステップＳ４０５，Ｎｏ）、位置情報通知部１２０は、上述したステップＳ４０２の位置測位処理を実行する。
【００８１】
一方で、位置情報通知部２１０は、ステップＳ４０６として、通信部３８を介して緊急地震速報を受信すると、ステップＳ４０７として、自装置の位置測位処理を実行する。続いて、位置情報通知部２１０は、ステップＳ４０８として、測位した位置の情報を通知するためのメッセージを自動生成して携帯電話機１に送信する。位置情報通知部２１０は、ステップＳ４０９として、携帯電話機１から、位置の情報を通知するメッセージを受信した場合には、ステップＳ４１０として、測位した自装置の位置の情報を通知するためのメッセージを、携帯電話機１に対して送信済みであるか否かを判定する。判定の結果、位置の情報を通知するためのメッセージを、携帯電話機１に対して送信済みである場合には（ステップＳ４１０，Ｙｅｓ）、位置情報通知部２１０は、処理手順を終了する。これとは反対に、判定の結果、位置の情報を通知するためのメッセージを、携帯電話機１に対して送信済みではない場合には（ステップＳ４１０，Ｎｏ）、位置情報通知部２１０は、上述したステップＳ４０７の位置測位処理を実行する。
【００８２】
図１３に示す場合では、携帯電話機１及び携帯電話機３が共に緊急地震速報の受信をトリガーとして、相互に位置の情報を通知するメッセージを送信しあうので、携帯電話機１及び携帯電話機３が共に緊急地震速報を受信できる状況にあれば、携帯電話機１及び携帯電話機３の双方が、地震発生後、迅速かつ簡易に、自己の位置情報を通知できる。さらに、携帯電話機１及び携帯電話機３の少なくとも一方が緊急地震速報を受信できる状況であれば、地震の発生から余り遅れることなく、携帯電話機１及び携帯電話機３の双方が、自己の位置情報を通知できる。
【００８３】
以下、図１４を用いて、携帯電話機１が、緊急地震速報の受信をトリガーとして、測位した位置の情報を通知するためのメッセージ及び位置の測位を要求するためのメッセージを送信し、携帯電話機３が、位置の情報を通知するメッセージを送信しあう場合の処理手順の例を説明する。図１４は、携帯電話機１及び携帯電話機３が相互にメッセージを送信しあう場合の処理手順の他の例を示す図である。図１４に示す処理手順は、制御部１００が記憶部４０に記憶されているプログラムを実行し、制御部２００が記憶部７０に記憶されているプログラムを実行することによって実現される。
【００８４】
図１４に示すように、位置情報通知部１２０は、ステップＳ５０１として、通信部１８を介して緊急地震速報を受信すると、ステップＳ５０２として、自装置の位置測位処理を実行する。続いて、位置情報通知部１２０は、ステップＳ５０３として、測位した位置の情報を通知するためのメッセージ及び位置の測位を要求するためのメッセージを自動生成して、携帯電話機３に対して送信する。位置情報通知部１２０は、ステップＳ５０４として、携帯電話機３から、位置の情報を通知するメッセージを受信した場合には、ステップＳ５０５として、位置の情報を通知するためのメッセージ及び位置の測位を要求するためのメッセージを、携帯電話機３に対して送信済みであるか否かを判定する。判定の結果、位置の情報を通知するためのメッセージ及び位置の測位を要求するためのメッセージを、携帯電話機３に対して送信済みである場合には（ステップＳ５０５，Ｙｅｓ）、位置情報通知部１２０は、処理手順を終了する。これとは反対に、判定の結果、位置の情報を通知するためのメッセージ及び位置の測位を要求するためのメッセージを、携帯電話機３に対して送信済みではない場合には（ステップＳ５０５，Ｎｏ）、位置情報通知部１２０は、上述したステップＳ５０２の位置測位処理を実行する。
【００８５】
一方で、位置情報通知部２１０は、ステップＳ５０６として、通信部３８を介して緊急地震速報を受信すると、ステップＳ５０７として、自装置の位置測位処理を実行する。続いて、位置情報通知部２１０は、ステップＳ５０８として、測位した位置の情報を通知するためのメッセージを自動生成して、携帯電話機１に対して送信する。位置情報通知部２１０は、ステップＳ５０９として、携帯電話機１から、位置の情報を通知するためのメッセージ及び位置の測位を要求するためのメッセージを受信した場合には、ステップＳ５１０として、測位した自装置の位置の情報を通知するためのメッセージを、携帯電話機１に対して送信済みであるか否かを判定する。判定の結果、位置の情報を通知するためのメッセージを、携帯電話機１に対して送信済みである場合には（ステップＳ５１０，Ｙｅｓ）、位置情報通知部２１０は、処理手順を終了する。これとは反対に、判定の結果、位置の情報を通知するためのメッセージを、携帯電話機１に対して送信済みではない場合には（ステップＳ５１０，Ｎｏ）、位置情報通知部２１０は、上述したステップＳ５０７の位置測位処理を実行する。
【００８６】
図１４に示す場合では、携帯電話機１が緊急地震速報の受信をトリガーとして、測位した位置の情報を通知するためのメッセージ及び位置の測位を要求するためのメッセージを送信する。このため、例えば、緊急地震速報などの所定のメッセージ、及び携帯電話機１から送信された位置の測位を要求するためのメッセージの少なくとも一方を受信した場合に位置測位処理を実行するように実装されている携帯電話機３が、緊急地震速報を受信できる状況にない場合であっても、携帯電話機１から位置の測位を要求するメッセージを送信することにより、できるだけ迅速に位置情報を通知できる。
【００８７】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【００８８】
１、３  携帯電話機
１Ｃ  筐体
１１、３４  マイク
１２、３５  スピーカ
１３、３６  レシーバ
１４、３３  操作部
１５  加速度センサ
１６、３７  表示部
１７  カメラ
１８、３８  通信部
２０、５０  音声処理部
４０、７０  記憶部
１００、２００  制御部
１１０  位置測位要求部
１２０  位置情報通知部
２１０  位置情報通知部
【図１】
0005743951.tif 000002
【図２】
0005743951.tif 000003
【図３】
0005743951.tif 000004
【図４】
0005743951.tif 000005
【図５】
0005743951.tif 000006
【図６】
0005743951.tif 000007
【図７】
0005743951.tif 000008
【図８】
0005743951.tif 000009
【図９】
0005743951.tif 000010
【図１０】
0005743951.tif 000011
【図１１】
0005743951.tif 000012
【図１２】
0005743951.tif 000013
【図１３】
0005743951.tif 000014
【図１４】
0005743951.tif 000015